(57)【要約】【課題】  携帯情報端末の音声出力機能を用いて、各歌唱者に対して歌詞を事前報知する歌詞事前報知機能を備えた場合に、複数の歌唱者がそれぞれ割り当てられた歌唱パートを歌唱するカラオケ楽曲に対応して歌詞事前報知を行う。【解決手段】  相互にデータ通信可能なカラオケ演奏装置３０と複数の携帯情報端末２０とを備え、複数の歌唱者がそれぞれ割り当てられた歌唱パートを歌唱するカラオケ楽曲の演奏に際して、各歌唱者がそれぞれ歌唱すべき歌唱区間の演奏開始前に、各歌唱者の携帯情報端末２０の音声出力機能を用いて、各歌唱者がそれぞれ歌唱すべき歌詞を事前報知する歌詞事前報知機能を有する。歌唱パート決定手段５０により、各携帯情報端末２０を所持するそれぞれの歌唱者が歌唱すべき歌唱パートを決定し、決定された各歌唱パートに応じて、各歌唱者が所持する携帯情報端末２０から、各歌唱者が歌唱すべき歌唱パートの歌詞を音声出力する。【選択図】図１
2015011245.tif 000002
【特許請求の範囲】
【請求項１】
相互にデータ通信可能なカラオケ演奏装置と複数の携帯情報端末とを備え、複数の歌唱者がそれぞれ割り当てられた歌唱パートを歌唱するカラオケ楽曲の演奏に際して、各歌唱者がそれぞれ歌唱すべき歌唱区間の演奏開始前に、各歌唱者の携帯情報端末の音声出力機能を用いて、各歌唱者がそれぞれ歌唱すべき歌詞を事前報知する歌詞事前報知機能を有するカラオケシステムにおいて、
前記各携帯情報端末を所持するそれぞれの歌唱者が歌唱すべき歌唱パートを決定する歌唱パート決定手段を備え、
前記決定された各歌唱パートに応じて、各歌唱者が所持する前記携帯情報端末から、各歌唱者が歌唱すべき歌唱パートの歌詞を音声出力することを特徴とするパート別歌唱に対応したカラオケシステム。
【請求項２】
前記各携帯情報端末に入力された各歌唱者の音声の周波数特性を検出する音声周波数特性検出手段をさらに備え、
前記歌唱パート決定手段は、前記検出した音声周波数特性に基づき、各歌唱者が歌唱すべき歌唱パートを決定することを特徴とする請求項１に記載のパート別歌唱に対応したカラオケシステム。
【請求項３】
前記事前報知するデフォルトの歌詞に対応させて歌唱者が作成した任意の歌詞を、前記各歌唱者がそれぞれ歌唱すべき歌詞として事前報知することを特徴とする請求項１又は２に記載のパート別歌唱に対応したカラオケシステム。
【発明の詳細な説明】
【技術分野】
【０００１】
本発明は、パート別歌唱に対応したカラオケシステムに関するものであり、例えば、デュエット曲のように、男声パート、女声パート及び混声パートに区分された複数のパートを、それぞれ男女が別々あるいは同時に歌唱するカラオケ楽曲の演奏に際して、各歌唱者がそれぞれ歌唱すべき歌唱区間の演奏開始前に、各歌唱者の携帯情報端末の音声出力機能を用いて、各歌唱者がそれぞれ歌唱すべき歌詞を事前報知するためのシステムに関するものである。
【背景技術】
【０００２】
現在普及しているカラオケシステムでは、カラオケ楽曲を演奏する際に、当該カラオケ楽曲の楽曲データに含まれる歌詞描出データを用いて、表示装置の表示画面に歌詞表示を行っている。この歌詞表示は、カラオケ楽曲の進行に合わせて色変わり表示されるのが一般的であり、歌唱者に対して歌唱補助を行うことができる。
【０００３】
上述した歌詞表示を行うカラオケシステムでは、モニタ画面を見なければ歌詞が分からないため、種々の理由により歌唱者がモニタ画面を見られない場合に対応させて、歌詞を音声報知するための技術が開示されている（特許文献１参照）。特許文献１に記載された技術は、カラオケ装置等の楽音発生装置において、楽曲、例えばリクエスト曲の歌詞を、音声により歌唱者に報知できるようにしたものであり、音声信号を符号化した音声データを記憶している音声データ用ＲＯＭから歌詞データに対応する音声データを読み出し、この音声データを復号化して音声信号に変換して、音声信号をイヤホンなどにより音声出力するようになっている。
【０００４】
また、カラオケ楽曲の中には、デュエット曲のように、複数の歌唱者がそれぞれ割り当てられた歌唱パートを歌唱するものがある。従来のカラオケシステムでは、例えば、デュエット曲を演奏する際に、表示装置の表示画面において、歌詞文字の先頭に、男声パート又は女声パートを示す識別マークを付したり、歌詞文字の表示色を異ならせたりしていた。
【先行技術文献】
【特許文献】
【０００５】
【特許文献１】特開平９−１９８０６２号公報
【発明の概要】
【発明が解決しようとする課題】
【０００６】
ところで、特許文献１に記載された技術を用いることにより、歌唱者に対して歌唱すべき歌詞を報知することができるが、特許文献１に記載された技術は、デュエット曲のように複数の歌唱者がそれぞれ割り当てられた歌唱パートを歌唱するカラオケ楽曲を想定したものではなく、それぞれの歌唱パートを区別して、歌詞を音声出力することはできない。このため、歌唱者は、自らの歌唱パートを歌唱するタイミングを認識することができずに、間違って他人が歌唱すべき歌唱パートを歌唱してしまうおそれがあり、カラオケ本来の楽しさを十分に味わうことができなかった。
【０００７】
本発明は、上述した事情に鑑み提案されたもので、複数の歌唱者がそれぞれ割り当てられた歌唱パートを歌唱するカラオケ楽曲の演奏に際して、各歌唱者がそれぞれ歌唱すべき歌唱区間の演奏開始前に、各歌唱者の携帯情報端末の音声出力機能を用いて、歌唱者毎にそれぞれ歌唱すべき歌詞を確実に区別して報知することが可能なカラオケシステムを提供することを目的とする。
【課題を解決するための手段】
【０００８】
本発明のパート別歌唱に対応したカラオケシステムは、上述した事情に鑑み提案されたもので、以下の特徴点を有している。すなわち、本発明のパート別歌唱に対応したカラオケシステムは、相互にデータ通信可能なカラオケ演奏装置と複数の携帯情報端末とを備え、複数の歌唱者がそれぞれ割り当てられた歌唱パートを歌唱するカラオケ楽曲の演奏に際して、各歌唱者がそれぞれ歌唱すべき歌唱区間の演奏開始前に、各歌唱者の携帯情報端末の音声出力機能を用いて、各歌唱者がそれぞれ歌唱すべき歌詞を事前報知する歌詞事前報知機能を有するカラオケシステムにおいて、歌唱パート決定手段を備えたことを特徴とするものである。
【０００９】
歌唱パート決定手段は、各携帯情報端末を所持するそれぞれの歌唱者が歌唱すべき歌唱パートを決定するための手段である。そして、歌唱パート決定手段で決定された各歌唱パートに応じて、各歌唱者が所持する携帯情報端末から、各歌唱者が歌唱すべき歌唱パートの歌詞を音声出力するようになっている。
【００１０】
また、本発明のパート別歌唱に対応したカラオケシステムは、上述した構成において、各携帯情報端末に入力された各歌唱者の音声の周波数特性を検出する音声周波数特性検出手段を備えることが可能である。この場合に、歌唱パート決定手段は、検出した音声周波数特性に基づき、各歌唱者が歌唱すべき歌唱パートを決定することが可能である。
【００１１】
また、本発明のパート別歌唱に対応したカラオケシステムは、上述した構成において、事前報知するデフォルトの歌詞に対応させて歌唱者が作成した任意の歌詞を、各歌唱者がそれぞれ歌唱すべき歌詞として事前報知することが可能である。
【００１２】
このような構成からなるパート別歌唱に対応したカラオケシステムでは、例えば、デュエット曲のように、複数の歌唱者がそれぞれ割り当てられた歌唱パートを歌唱するカラオケ楽曲を演奏する際に、歌唱パート決定手段の機能により、各歌唱者が歌唱すべき歌唱パートを決定する。
【００１３】
各歌唱者は、それぞれ携帯情報端末を所持しているので、歌唱者が歌唱すべき歌唱パートを決定すれば、パート毎に歌詞を事前報知する携帯情報端末も特定されることになる。そして、各歌唱者が所持する携帯情報端末歌詞事前報知機能により、決定された各歌唱パートに応じて、各歌唱者が歌唱すべき歌唱パートの歌詞を音声出力する。
【００１４】
また、各携帯情報端末に入力された各歌唱者の音声の周波数特性を検出する音声周波数特性検出手段を備えている場合には、各携帯情報端末を所持する歌唱者が各携帯情報端末に音声を入力すると、その周波数特性に基づいて、歌唱パート決定手段は、歌唱すべき歌唱パートを決定する。特に、男女が一緒に歌唱するデュエット曲の場合には、男性が発する音声と、女性が発する音声とはほぼ正確に区別することができるため、それぞれ男声パート及び女声パートを割り当てることができる。
【００１５】
また、事前報知するデフォルトの歌詞に対応させて歌唱者が作成した任意の歌詞を、各歌唱者がそれぞれ歌唱すべき歌詞として事前報知することができる。
【発明の効果】
【００１６】
本発明のパート別歌唱に対応したカラオケシステムによれば、複数の歌唱者がそれぞれ割り当てられた歌唱パートを歌唱するカラオケ楽曲（例えば、デュエット曲）を演奏する際に、各歌唱パートを歌唱する歌唱者を決定することにより、各歌唱パートの歌詞を音声出力すべき携帯情報端末が特定される。そして、各歌唱者がそれぞれ歌唱すべき歌唱区間の演奏開始前に、各歌唱者の携帯情報端末の音声出力機能を用いて、歌唱者毎にそれぞれ歌唱すべき歌詞を確実に区別して報知することにより、各歌唱者は、自らの歌唱パートにおいて歌唱すべき歌詞を確実に認識することができる。
【００１７】
また、音声周波数特性検出手段を備えた場合には、各歌唱者が所持する携帯情報端末から入力された音声の周波数特性を検出して、歌唱者が歌唱すべき歌唱パートを自動的に区別して決定することができるので、歌唱者毎に歌唱すべき歌唱パートを決定する手間を省くことができる。
【００１８】
また、事前報知するデフォルトの歌詞に対応させて歌唱者が作成した任意の歌詞を、各歌唱者がそれぞれ歌唱すべき歌詞として事前報知することができるようにした場合には、例えば、デュエット相手に対して、デフォルトの歌詞に代替して歌唱して貰いたい歌詞を報知することができる。この代替歌詞は、表示装置の表示画面に表示されるのではなく、デュエット相手の携帯情報端末の音声出力機能により出力されるため、一緒にカラオケを楽しんでいる他の利用者に知られることなく、デュエット相手にのみ報知することができる。したがって、デュエット相手との親密感等を深めることができ、カラオケの楽しさをより一層高めることができる。
【図面の簡単な説明】
【００１９】
【図１】本発明の実施形態に係るパート別歌唱に対応したカラオケシステムの構成を示すブロック図。
【図２】デュエット曲における歌詞事前報知を説明する説明図。
【発明を実施するための形態】
【００２０】
図面を参照して、本発明のパート別歌唱に対応したカラオケシステムの実施形態について説明する。図１及び図２は本発明の実施形態に係るパート別歌唱に対応したカラオケシステムを示すもので、図１はパート別歌唱に対応したカラオケシステムの構成を示すブロック図、図２はデュエット曲における歌詞事前報知を説明する説明図である。
【００２１】
＜パート別歌唱に対応したカラオケシステムの概要＞
本発明の実施形態に係るパート別歌唱に対応したカラオケシステム１０は、図１に示すように、相互にデータ通信可能なカラオケ演奏装置３０と複数の携帯情報端末２０とを備え、複数の歌唱者がそれぞれ割り当てられた歌唱パートを歌唱するカラオケ楽曲（例えば、デュエット曲）の演奏に際して、各歌唱者がそれぞれ歌唱すべき歌唱区間の演奏開始前に、各歌唱者の携帯情報端末２０の音声出力機能を用いて、各歌唱者がそれぞれ歌唱すべき歌詞を事前報知する歌詞事前報知機能を有するカラオケシステム１０に適用する技術である。
【００２２】
このパート別歌唱に対応したカラオケシステム１０は、各携帯情報端末２０を所持するそれぞれの歌唱者が歌唱すべき歌唱パートを決定する歌唱パート決定手段５０を備えている。さらに、音声周波数特性検出手段２５を備えていてもよい。本実施形態において、歌唱パート決定手段５０は、カラオケ演奏装置３０の機能手段として実現し、音声周波数特性検出手段２５は、携帯情報端末２０の機能手段として実現する。なお、歌唱パート決定手段５０を、携帯情報端末２０の機能手段として実現してもよく、音声周波数特性検出手段２５を、カラオケ演奏装置３０の機能手段として実現してもよい。
【００２３】
また、パート別歌唱に対応したカラオケシステム１０を構成するための手段として、以下の手段を備えている。すなわち、携帯情報端末２０の機能手段として、歌詞事前報知利用状況検出手段２１と、検出結果送信手段２２とを備えている。さらに、携帯情報端末２０の機能手段として、姿勢検出手段２３と、音声出力制御手段２４とを備えることが可能である。また、パート別歌唱に対応したカラオケシステム１０は、カラオケ演奏装置３０の機能手段として、検出結果受信手段４７と、歌詞文字表示手段４８と、歌詞文字表示制御手段４９とを備えている。
【００２４】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２５】
＜カラオケ演奏装置＞
本発明の実施形態に係るパート別歌唱に対応したカラオケシステム１０を適用するカラオケ演奏装置３０は、図１に示すように、カラオケ本体３１、スピーカ３２、マイクロホン３３、表示装置３４、ミキシングアンプ３５、カラオケリモコン装置３６を備えている。なお、図示しないが、カラオケ演奏装置３０は、ルータ６０及びデータ通信回線を介して、管理サーバとネットワーク接続されていてもよい。
【００２６】
＜カラオケリモコン装置＞
カラオケリモコン装置３６は、ユーザインタフェース機能を備えており、ルータ６０を介して、カラオケ本体３１のネットワーク送受信手段４１との間でデータの送受信を行うようになっている。このカラオケリモコン装置３６は、楽曲検索手段３６ａとして機能するプログラム、楽曲索引データベース３６ｂ、種々のデータを記憶するためのデータ記憶部３６ｃ、データの入出力を行うための入出力表示部３６ｄ等を備えている。このカラオケリモコン装置３６に付帯するスイッチ類や、入出力表示部３６ｄに表示される各種のアイコン等を操作することにより、選曲操作等が行われる。
【００２７】
なお、本発明では、カラオケ演奏装置３０と、利用者が所持する携帯情報端末２０とをペアリングすることにより、相互にデータの送受信を可能としている。したがって、携帯情報端末２０に選曲予約のためのアプリケーションソフトをインストールして、当該携帯情報端末２０に選曲予約機能を持たせることもできる。
【００２８】
＜楽曲検索手段／楽曲索引データベース＞
楽曲検索手段３６ａは、利用者の指示に基づき、楽曲索引データベース３６ｂを参照して楽曲を検索するためのプログラムからなる。楽曲索引データベース３６ｂは、カラオケ演奏装置３０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００２９】
＜マイクロホン＞
マイクロホン３３は、歌唱音声の入力を行うための装置である。マイクロホン３３から入力された歌唱音声信号は、ミキシングアンプ３５により、音楽再生制御手段から送出される演奏音声信号とミキシングされると共に増幅され、スピーカ３２へ出力される。なお、図示しないが、マイクロホン３３からの音声入力信号をＡ／Ｄコンバータによりデジタル変換し、採点処理手段における歌唱採点等に使用してもよい。
【００３０】
＜表示装置＞
表示装置３４は、カラオケ楽曲に関連した背景映像や歌詞テロップ等を表示するための装置で、例えば、液晶ディスプレイ等により構成される。
【００３１】
＜携帯情報端末＞
携帯情報端末２０は、利用者が所持するスマートフォン等からなり、カラオケ演奏装置３０とペアリングすることにより、相互にデータの送受信をすることが可能となる。この携帯情報端末２０は、歌詞事前報知利用状況検出手段２１、検出結果送信手段２２を備えている。また、携帯情報端末２０は、姿勢検出手段２３、音声出力制御手段２４、音声周波数特性検出手段２５をさらに備えていてもよい。なお、これらの各手段は、歌詞事前報知機能を実現するためのアプリケーションソフトをインストールすることにより、その機能が実現される。
【００３２】
図１に示す例では、ルータ６０を介して、携帯情報端末２０とカラオケ演奏装置３０のネットワーク送受信手段４１とを接続しているが、携帯情報端末２０とカラオケ演奏装置３０の間におけるデータの送受信は、近距離無線通信等を利用してもよい。
【００３３】
＜音声周波数特性検出手段＞
音声周波数特性検出手段２５は、各携帯情報端末２０のマイクロホン３３から入力された利用者の音声の周波数特性を検出するためのプログラムからなる。この音声周波数特性検出手段２５の機能により、マイクロホン３３から入力された利用者の音声周波数を解析する。この音声周波数解析により、男女別の音声等を識別することができる。後に詳述するが、音声周波数特性検出手段２５による検出結果は、歌唱パート決定手段５０における各歌唱者が歌唱すべき歌唱パートの決定に利用することができる。
【００３４】
＜姿勢検出手段＞
姿勢検出手段２３は、携帯情報端末２０の姿勢を検出するための機器及びプログラムからなり、例えば、携帯情報端末２０を縦方向に所持しているか、あるいは横方向に所持しているか等を検出することができる。具体的には、３次元の角加速度を感知するジャイロセンサや、基準軸からの回転角度を検出するための回転ベクトルセンサ等により携帯情報端末２０の姿勢を検出することができる。
【００３５】
＜歌詞事前報知利用状況検出手段＞
歌詞事前報知利用状況検出手段２１は、歌唱者が歌詞事前報知機能を利用しているか否かを検出するためのプログラムからなる。例えば、歌詞事前報知を行うためのアプリケーションソフトを立ち上げて、所定の操作を行うことにより、歌詞事前報知を行うことができるようになる。そして、歌詞事前報知利用状況検出手段２１は、歌詞事前報知機能が動作している場合に、歌唱者が歌詞の音声出力を実際に聴取しているか否か、すなわち、歌唱者が歌詞事前報知機能を利用しているか否かを検出する。
【００３６】
歌詞事前報知機能を利用しているか否かの検出は、携帯情報端末２０が具備する所定の操作子の操作を操作したか否かに基づいて実行することができる。例えば、歌唱者が携帯情報端末２０の表示操作画面（タッチパネル）に表示される所定の操作子（操作アイコン）にタッチしている場合は、歌詞事前報知機能を利用していると判断し、所定の操作子にタッチしていない場合は、歌詞事前報知機能を利用していないと判断すればよい。
【００３７】
また、歌詞事前報知機能を利用しているか否かの検出は、携帯情報端末２０の姿勢に基づいて実行することができる。すなわち、歌唱者が歌詞事前報知機能を利用する場合には、携帯情報端末２０のスピーカを自らの耳に近接させることが一般的である。一方、歌唱者が歌詞事前報知機能を利用していない場合には、携帯情報端末２０をテーブル上に置き、あるいは携帯情報端末２０を持った手を下側に下げた状態になると推測することができる。
【００３８】
したがって、例えば、姿勢検出手段２３が検出した携帯情報端末２０の姿勢が縦方向（略鉛直方向）の場合には、歌詞事前報知機能を利用していると判断し、姿勢検出手段２３が検出した携帯情報端末２０の姿勢が横方向（略水平方向）の場合には、歌詞事前報知機能を利用していないと判断する。
【００３９】
＜検出結果送信手段＞
検出結果送信手段２２は、歌詞事前報知利用状況検出手段２１における検出結果を、カラオケ演奏装置３０に送信するための機器及びプログラムからなる。後に詳述するが、歌詞事前報知機能の利用に関する検出結果を受信したカラオケ演奏装置３０では、当該情報を用いて歌詞文字の表示制御を行う。
【００４０】
＜音声出力制御手段＞
音声出力制御手段２４は、歌詞事前報知機能による音声出力を行わないように制御するためのプログラムからなる。すなわち、音声出力制御手段２４は、歌詞事前報知利用状況検出手段２１の検出結果が、歌詞事前報知機能を利用中でないことを示す場合に、携帯情報端末２０の音声出力機能を用いた歌詞事前報知を行わないように制御する。これにより、歌詞事前報知機能が動作中であっても、実際に歌唱者が歌詞事前報知の音声出力を聴取していない場合には音声出力のみを停止させることができるので、携帯情報端末２０の消費電力をセーブすることができる。
【００４１】
また、歌詞事前報知利用状況検出手段２１の検出結果が、歌詞事前報知機能を利用中であることを示す場合には、音声出力制御手段２４は、歌詞事前報知機能による音声出力を行うように制御し、歌唱者の歌唱を支援する。
【００４２】
＜カラオケ本体＞
カラオケ本体３１は、ネットワーク送受信手段４１、中央制御手段４２、ＲＯＭ４３、ＲＡＭ４４、ＨＤＤ４５、予約管理手段４６、検出結果受信手段４７、歌詞文字表示手段４８、歌詞文字表示制御手段４９、歌唱パート決定手段５０、音楽再生制御手段５１、映像再生制御手段５２を備えている。
【００４３】
＜中央制御手段＞
中央制御手段４２は、カラオケ本体３１を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００４４】
＜ＲＯＭ／ＲＡＭ＞
ＲＯＭ４３は、カラオケ本体３１を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。
【００４５】
本実施形態では、ＲＡＭ４４に、予約待ち行列４４ａが記憶されるようになっている。なお、予約待ち行列４４ａは、選曲予約されたカラオケ楽曲について、演奏順に楽曲ＩＤを並べて構成されたデータテーブルであり、選曲予約者の利用者ＩＤ等、他の識別データが紐付けされている場合もある。
【００４６】
＜ＨＤＤ＞
ＨＤＤ４５は、大容量記憶装置として機能するもので、楽曲データベース４５ａ、映像データベース４５ｂが格納されている。なお、ＨＤＤ４５に替えて、あるいはＨＤＤ４５と共に、データを書き替え可能なＤＶＤ等の大容量記憶装置を用いてもよい。
【００４７】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。
【００４８】
＜ネットワーク送受信手段＞
ネットワーク送受信手段４１は、ルータ６０を介して携帯情報端末２０との間でデータの送受信を行うための電子回路及びプログラムからなる。また、図示しないが、カラオケ演奏装置３０がルータ６０を介して管理サーバ等にネットワーク接続（店内ＬＡＮ接続を含む）されている場合には、ネットワーク送受信手段４１の機能により、管理サーバ等の間で行われるデータの送受信も制御する。
【００４９】
さらに、ローカル送受信手段を設けて、カラオケ本体３１とカラオケリモコン装置３６との間で、赤外線通信等によるデータの送受信を行い、カラオケ本体３１とカラオケリモコン装置３６とのペアリング等を行ってもよい。
【００５０】
＜予約管理手段＞
予約管理手段４６は、任意の利用者が選曲予約する際に、当該選曲されたカラオケ楽曲の楽曲ＩＤを含む予約待ち行列４４ａを作成して管理するためのプログラムからなる。すなわち、予約管理手段４６は、利用者により楽曲検索手段３６ａの機能を用いて選曲された楽曲ＩＤを演奏順に並べて予約待ち行列４４ａを作成し、この予約待ち行列４４ａをＲＡＭ４４に格納して管理する。また、予約待ち行列４４ａに選曲者の利用者ＩＤを含める場合には、利用者ＩＤの取得が必要となる。
【００５１】
利用者ＩＤは、利用者ＩＤカードに記憶された利用者ＩＤをカードリーダにより読み取り、あるいは、カラオケリモコン装置３６の入出力表示部３６ｄを用いて入力された利用者ＩＤ及びパスワードに基づいて取得すればよい。さらに、利用者が携帯する携帯情報端末２０を用いて予約を行う機能を有する場合には、当該携帯情報端末２０の機器ＩＤに紐付けされた利用者ＩＤを取得してもよい。また、カラオケ演奏装置３０を使用する際に、利用者に対して一時的に利用者ＩＤを付与してもよい。
【００５２】
＜歌唱パート決定手段＞
歌唱パート決定手段５０は、各携帯情報端末２０を所持するそれぞれの歌唱者が歌唱すべき歌唱パートを決定するためのプログラムからなる。すなわち、デュエット曲のように、複数の歌唱者がそれぞれ割り当てられた歌唱パートを歌唱するカラオケ楽曲の場合には、各歌唱者が歌唱すべき歌唱パートを決定する必要がある。
【００５３】
歌唱パート決定手段５０により歌唱パートの決定は、利用者の指示入力に基づいて行ってもよいし、歌唱パート決定手段５０が自動的に行ってもよい。例えば、デュエット曲を予約選曲する際に、男声パートは利用者Ａが歌唱し、女性パートは利用者Ｂが歌唱するという指示入力を行い、歌唱パート決定手段５０は当該指示入力に基づいて、各利用者の歌唱パートを決定するとともに、各歌唱パートにおいて歌詞事前報知を行う携帯情報端末２０を特定する。
【００５４】
また、各携帯情報端末２０に入力された各歌唱者の音声の周波数特性を検出する音声周波数特性検出手段２５を備えている場合に、音声周波数特性検出手段２５により検出した音声周波数特性に基づき、歌唱パート決定手段５０は、各歌唱者が歌唱すべき歌唱パートを決定する。例えば、男女が一緒に歌唱を行うデュエット曲の場合に、各携帯情報端末２０を所持する歌唱者が各携帯情報端末２０に音声を入力すると、その周波数特性に基づいて、それぞれ男声パート及び女声パートを決定して割り当てることができる。また、歌唱パートを決定する際に、各歌唱者の歌唱履歴から得意とする歌唱パートが明らかな場合には、当該歌唱履歴に基づいて、それぞれの歌唱パートを決定してもよい。
【００５５】
＜検出結果受信手段＞
検出結果受信手段４７は、携帯情報端末２０の検出結果送信手段２２により送信される検出結果を受信するためのプログラムからなる。なお、携帯情報端末２０から送信される信号は、ネットワーク送受信手段４１の機能により受信する。受信手段受信した検出結果は、歌詞文字表示制御手段４９における歌詞文字の表示制御に利用される。
【００５６】
＜歌詞文字表示手段＞
歌詞文字表示手段４８は、カラオケ楽曲の演奏進行に合わせて歌詞文字の表示を行うためのプログラムからなる。すなわち、歌詞文字表示手段４８は、演奏データに含まれる歌詞描出データに基づいて、表示装置３４の表示画面に表示するための歌詞文字を生成する。この歌詞文字は、映像再生制御手段５２の機能により背景映像にスーパーインポーズして、当該カラオケ楽曲の演奏データに同期させて表示装置３４に出力される。
【００５７】
＜歌詞文字表示制御手段＞
歌詞文字表示制御手段４９は、検出結果受信手段４７により受信した検出結果が、歌詞事前報知機能を利用中であることを示す場合に、歌詞文字の表示を行わないように歌詞文字表示手段４８を制御するためのプログラムからなる。すなわち、歌詞事前報知機能を利用中である場合に、歌唱者は音声出力により歌詞文字を事前に認識することができるため、表示装置３４の表示画面において、背景映像にスーパーインポーズして歌詞文字を表示する必要はない。また、歌詞文字を表示しないことにより、歌唱者及び一緒にカラオケを楽しんでいる利用者は、背景映像を十分に楽しむことができる。そこで、歌詞文字表示制御手段４９は、歌詞事前報知機能を利用中である場合に、歌詞文字の表示を行わない制御を行う。
【００５８】
＜音楽再生制御手段＞
音楽再生制御手段５１は、楽曲ＩＤに基づいて演奏データから抽出された演奏制御データに基づいて、音源データをデジタル再生すると共にアナログ変換してミキシングアンプ３５に出力するための電子回路である。上述したように、ミキシングアンプ３５は、マイクロホン３３から入力された歌唱者の歌唱音声信号と、音楽再生制御手段５１から送出される演奏音声信号とをミキシングすると共に、アンプ機能により増幅してスピーカ３２より出力するための装置である。
【００５９】
＜映像再生制御手段＞
映像再生制御手段５２は、カラオケ楽曲の演奏中に、映像データベース４５ｂから抽出した背景映像データと、演奏データに含まれる歌詞描出データに基づいて作成される歌詞文字とを、当該カラオケ楽曲の演奏データに同期させて表示装置３４に出力する。なお、本発明では、歌詞文字の生成については、歌詞文字表示制御手段４９の制御を受けている。
【００６０】
＜デュエット曲における歌詞事前報知＞
図２を参照して、デュエット曲における歌詞事前報知を説明する。なお、以下に説明する例では、歌唱パート決定手段５０の機能により、各歌唱者が歌唱すべき歌唱パートが決定されているものとする。図２に示す例では、歌唱者Ａが男声パートを歌唱し、歌唱者Ｂが女声パートを歌唱するものとする。
【００６１】
デュエット曲において歌詞を事前報知するには、図２に示すように、歌唱パート決定手段５０の機能により決定された各歌唱者が歌唱すべき歌唱パートに対して、各歌唱者が所持する携帯情報端末２０のスピーカ３２から歌唱すべき歌詞を音声出力する。上述したように、歌詞の音声出力は、各歌唱者がそれぞれ歌唱すべき歌唱区間の演奏開始前に行われる。
【００６２】
図２に示す例では、男声パートが開始する前に歌唱者Ａが所持する携帯情報端末２０のスピーカ３２から男声パートの歌詞を音声出力し、女声パートが開始する前に歌唱者Ｂが所持する携帯情報端末２０のスピーカ３２から女声パートの歌詞を音声出力し、混声パートが開始する前に歌唱者Ａ及び歌唱者Ｂが所持する携帯情報端末２０のスピーカ３２から混声パートの歌詞を音声出力する。
【００６３】
また、本実施形態では、事前報知するデフォルトの歌詞に対応させて歌唱者が作成した任意の歌詞を、各歌唱者がそれぞれ歌唱すべき歌詞として事前報知する機能を持たせることができる。この代替歌詞表示機能を利用するには、例えば、パーソナルコンピュータや携帯情報端末２０を用いて、利用者がデュエット相手に歌唱して貰いたい歌詞データを作成しておく。そして、歌詞事前報知機能を利用する際に、カラオケ演奏端末３０あるいはデュエット相手の携帯情報端末２０に対して、当該歌詞データを送信し、デュエット相手の携帯情報端末２０において歌詞を音声出力する際に、デフォルトの歌詞に代替して、当該作成した歌詞を音声出力すればよい。このような代替歌詞表示機能を持たせることにより、デュエット相手との親密感等を深めることができ、カラオケの楽しさをより一層高めることができる。
【００６４】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６５】
１０  カラオケシステム
２０  携帯情報端末
２１  歌詞事前報知利用状況検出手段
２２  検出結果送信手段
２３  姿勢検出手段
２４  音声出力制御手段
２５  音声周波数特性検出手段
３０  カラオケ演奏装置
３１  カラオケ本体
３２  スピーカ
３３  マイクロホン
３４  表示装置
３５  ミキシングアンプ
３６  カラオケリモコン装置
３６ａ  楽曲検索手段
３６ｂ  楽曲索引データベース
３６ｃ  データ記憶部
３６ｄ  入出力表示部
４１  ネットワーク送受信手段
４２  中央制御手段
４３  ＲＯＭ
４４  ＲＡＭ
４４ａ  予約待ち行列
４５  ＨＤＤ
４５ａ  楽曲データベース
４５ｂ  映像データベース
４６  予約管理手段
４７  検出結果受信手段
４８  歌詞文字表示手段
４９  歌詞文字表示制御手段
５０  歌唱パート決定手段
５１  音楽再生制御手段
５２  映像再生制御手段
６０  ルータ
【図１】
2015011245.tif 000003
【図２】
2015011245.tif 000004